【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
ワイヤレス媒体上のワイヤレス通信の方法であって、
受信デバイスにより、競合期間中に送信デバイスから第１のワイヤレスフレームを受信することと、前記第１のワイヤレスフレームは、前記送信デバイスと前記受信デバイスとの間のワイヤレス通信交換の一部分を形成し、前記第１のワイヤレスフレームは、前記第１のワイヤレスフレームの物理（ＰＨＹ）ヘッダに１つまたは複数の送信パラメータを含むように生成される、
前記受信デバイスにより、前記第１のワイヤレスフレームがエラーを含むと決定することと、
前記第１のワイヤレスフレームが前記エラーを含むと前記受信デバイスが決定することに応答して、前記受信デバイスにより、前記競合期間中に、前記第１のワイヤレスフレームの前記ＰＨＹヘッダに含まれる前記１つまたは複数の送信パラメータに基づいて、前記ワイヤレス媒体のためのネットワーク割振りベクトルが、前記送信デバイスと前記受信デバイスとの間の前記ワイヤレス通信交換の残りの部分をパケット衝突から保護するために十分な継続時間の時間期間の間設定されるべきことを示す、第２のワイヤレスフレームを送信することと、
前記受信デバイスを介して、前記時間期間中に前記送信デバイスから前記ワイヤレス通信交換の前記残りの部分を受信することと、
を備える、方法。
【請求項２】
前記ワイヤレス通信交換は、モアデータインジケーションを有する１つまたは複数のワイヤレスフレームと、前記１つまたは複数のワイヤレスフレームに対する対応する確認応答とを含む、請求項１に記載の方法。
【請求項３】
前記第１のワイヤレスフレームに応答して、前記受信デバイスが前記ワイヤレス通信交換の前記残りの部分のための前記ワイヤレス媒体を保護することを示す第３のワイヤレスフレームを、前記送信デバイスに送信することをさらに備える、請求項１に記載の方法。
【請求項４】
前記受信デバイスが前記ワイヤレス通信交換の前記残りの部分のための前記ワイヤレス媒体を保護することを前記送信デバイスが要求すると決定するために、前記第１のワイヤレスフレームを復号することと、
前記決定に応答して前記第２のワイヤレスフレームを送信することと、
をさらに備える、請求項１に記載の方法。
【請求項５】
前記受信デバイスが前記ワイヤレス媒体を保護するときの時間を示すように、前記第３のワイヤレスフレームを生成することをさらに備える、請求項３に記載の方法。
【請求項６】
前記送信デバイスのための前記１つまたは複数の送信パラメータのうちの１つまたは複数を示すように、前記第３のワイヤレスフレームを生成することをさらに備え、前記１つまたは複数の送信パラメータは、前記送信デバイスのための少なくとも１つの送信側識別子を含む、請求項３に記載の方法。
【請求項７】
前記１つまたは複数の送信パラメータは、変調およびコーディング方式、送信帯域幅、チャネル情報、または前記ワイヤレス通信交換の前記残りの部分の前記送信用のチャネル割振りのうちの１つまたは複数を含む、請求項６に記載の方法。
【請求項８】
ワイヤレス媒体上のワイヤレス通信のための装置であって、
競合期間中に送信デバイスから第１のワイヤレスフレームを受信するように構成された受信機と、前記第１のワイヤレスフレームは、前記送信デバイスと前記受信デバイスとの間のワイヤレス通信交換の一部分を形成し、前記第１のワイヤレスフレームは、前記第１のワイヤレスフレームの物理（ＰＨＹ）ヘッダに１つまたは複数の送信パラメータを含むように生成される、
前記第１のワイヤレスフレームがエラーを含むと決定するように構成されたプロセッサと、
前記第１のワイヤレスフレームが前記エラーを含むと前記プロセッサが決定することに応答して、前記競合期間中に、前記第１のワイヤレスフレームの前記ＰＨＹヘッダに含まれる前記１つまたは複数の送信パラメータに基づいて、前記ワイヤレス媒体のためのネットワーク割振りベクトルが、前記送信デバイスと前記受信デバイスとの間の前記ワイヤレス通信交換の残りの部分をパケット衝突から保護するために十分な継続時間の時間期間の間設定されることを示す、第２のワイヤレスフレームを送信するように構成された送信機と、
前記時間期間中に前記ワイヤレス通信交換を完了することと、
を備える、装置。
【請求項９】
前記ワイヤレス通信交換は、モアデータインジケーションを有する１つまたは複数のワイヤレスフレームと、前記１つまたは複数のワイヤレスフレームに対する対応する確認応答とを含む、請求項８に記載の装置。
【請求項１０】
前記第１のワイヤレスフレームに応答して、前記装置が前記第２のワイヤレスフレームを送信することを示す第３のワイヤレスフレームを、前記送信デバイスに送信することをさらに備える、請求項８に記載の装置。
【請求項１１】
前記プロセッサは、前記ワイヤレス通信交換の前記残りの部分をパケット衝突から保護するために十分な前記継続時間の前記時間期間の間、前記装置が前記ネットワーク割振りベクトルを設定することを前記送信デバイスが要求すると決定するために、前記第１のワイヤレスフレームを復号するようにさらに構成される、請求項８に記載の装置。
【請求項１２】
前記プロセッサは、前記送信デバイスのための前記１つまたは複数の送信パラメータのうちの１つまたは複数を示すように、前記第３のワイヤレスフレームを生成するようにさらに構成され、前記１つまたは複数の送信パラメータは、前記送信デバイスのための少なくとも１つの送信側識別子を含み、前記１つまたは複数の送信パラメータは、変調およびコーディング方式、送信帯域幅、チャネル情報、およびチャネル割振りのうちの１つまたは複数を含む、請求項１０に記載の装置。
【請求項１３】
前記プロセッサは、ブロック確認応答または否定確認応答のうちの１つとして前記第３のワイヤレスフレームを生成するようにさらに構成される、請求項１０に記載の装置。
【請求項１４】
前記プロセッサは、前記装置が前記第２のワイヤレスフレームを送信するときの時間を示すように、前記第３のワイヤレスフレームを生成するようにさらに構成される、請求項１０に記載の装置。
【請求項１５】
前記プロセッサは、１つまたは複数の送信パラメータを示すように、前記第３のワイヤレスフレームを生成するようにさらに構成される、請求項１０に記載の装置。
【請求項１６】
前記プロセッサは、前記ネットワーク割振りベクトルが設定される継続時間を示すように、前記第３のワイヤレスフレームを生成するようにさらに構成される、請求項１０に記載の装置。
【請求項１７】
前記プロセッサは、前記ワイヤレス通信交換を完了するために必要な時間を決定し、少なくとも前記必要な時間の間、前記ワイヤレス媒体を保護するために前記第２のワイヤレスフレームを生成するようにさらに構成される、請求項８に記載の装置。
【請求項１８】
前記送信機は、前記送信デバイスにクリア・ツー・センド（clear-to-send）フレームを送信することにより、前記ワイヤレス媒体を保護する前記第２のワイヤレスフレームを送信するようにさらに構成され、前記クリア・ツー・センドフレームは、前記残りの部分を送信するために必要な時間以上の継続時間を示す、請求項８に記載の装置。
【請求項１９】
ワイヤレス媒体上のワイヤレス通信の方法であって、
送信デバイスにより、第１のワイヤレスフレームの物理（ＰＨＹ）ヘッダに１つまたは複数の送信パラメータを含むように、前記第１のワイヤレスフレームを生成することと、
前記送信デバイスにより、競合期間中に受信デバイスへ前記第１のワイヤレスフレームを送信することと、前記第１のワイヤレスフレームは、前記送信デバイスと前記受信デバイスとの間のワイヤレス通信交換の一部分を備え、
前記第１のワイヤレスフレームが前記エラーを含むと決定することに応答して、および前記第１のワイヤレスフレームの前記ＰＨＹヘッダに含まれる前記１つまたは複数の送信パラメータに基づいて、前記受信デバイスから第２のワイヤレスフレームを受信することと、前記第２のワイヤレスフレームは、ネットワーク割振りベクトルが時間期間の間設定されるべきことを示し、
前記送信デバイスにより、前記時間期間中に前記受信デバイスとの前記ワイヤレス通信交換を完了することと、
を備える、方法。
【請求項２０】
前記受信デバイスへの前記ネットワーク割振りベクトルの設定の要求のインジケーションを備えるように、前記第１のワイヤレスフレームを生成することをさらに備える、請求項１９に記載の方法。
【請求項２１】
前記受信デバイスから、前記第２のワイヤレスフレームとは異なる第３のワイヤレスフレームを受信することと、前記第３のワイヤレスフレームは、前記ネットワーク割振りベクトルが設定されることを前記受信デバイスが要求することのインジケーションを備え、
前記第３のワイヤレスフレームに応答して、前記ネットワーク割振りベクトルが設定されるまで前記ワイヤレス通信交換のさらなる送信を延期することと、
をさらに備える、請求項１９に記載の方法。
【請求項２２】
前記第１のワイヤレスフレームに含まれる前記１つまたは複数の送信パラメータの確認と、前記受信デバイスへの送信のための前記１つまたは複数の送信パラメータのうちの１つまたは複数と、のうちの１つまたは複数を決定するために、前記第３のワイヤレスフレームを復号することをさらに備え、前記１つまたは複数の送信パラメータは、前記送信デバイスのための少なくとも１つの送信側識別子を含む、請求項２１に記載の方法。
【請求項２３】
モアデータインジケーションを有するデータフレームとして前記第１のワイヤレスフレームを生成することをさらに備え、
前記ワイヤレス通信交換の送信を完了することは、１つまたは複数のさらなるデータフレームを送信することと、前記１つまたは複数のさらなるデータフレームに対する対応する確認応答を受信することとを備える、
請求項１９に記載の方法。
【請求項２４】
ワイヤレス媒体上のワイヤレス通信のための装置であって、
第１のワイヤレスフレームの物理（ＰＨＹ）ヘッダに１つまたは複数の送信パラメータを含むように、前記第１のワイヤレスフレームを生成するように構成されたプロセッサと、
競合期間中に受信デバイスへ前記第１のワイヤレスフレームを送信するように構成された送信機と、前記第１のワイヤレスフレームは、前記装置と前記受信デバイスとの間のワイヤレス通信交換の一部分を備え、
前記第１のワイヤレスフレームが前記エラーを含むと決定することに応答して、および前記第１のワイヤレスフレームの前記ＰＨＹヘッダに含まれる前記１つまたは複数の送信パラメータに基づいて、ネットワーク割振りベクトルが時間期間の間設定されるべきことを示す第２のワイヤレスフレームを受信するように構成された受信機と、
前記時間期間中に前記受信デバイスとの前記ワイヤレス通信交換を完了することと、
を備える、装置。
【請求項２５】
前記プロセッサは、前記受信デバイスへの前記ネットワーク割振りベクトルの設定の要求のインジケーションを備えるように、前記第１のワイヤレスフレームを生成するようにさらに構成される、請求項２４に記載の装置。
【請求項２６】
前記受信機は、前記受信デバイスが前記ネットワーク割振りベクトルを設定することのインジケーションを備える第３のワイヤレスフレームを受信するようにさらに構成され、
前記プロセッサは、前記第３のワイヤレスフレームに応答して、前記ネットワーク割振りベクトルが設定されるまで前記ワイヤレス通信交換のさらなる送信を延期するようにさらに構成される、
請求項２４に記載の装置。
【請求項２７】
前記プロセッサは、前記第１のワイヤレスフレームに含まれる前記１つまたは複数の送信パラメータの確認と、前記受信デバイスへの送信のための前記１つまたは複数の送信パラメータのうちの１つまたは複数と、のうちの1つまたは複数を決定するために、前記第３のワイヤレスフレームを復号するようにさらに構成され、前記１つまたは複数の送信パラメータは、前記送信デバイスのための少なくとも１つの送信側識別子を含む、請求項２６に記載の装置。
【請求項２８】
前記プロセッサは、モアデータインジケーションを有するデータフレームとして前記第１のワイヤレスフレームを生成するようにさらに構成され、
前記ワイヤレス通信交換の送信を完了することは、１つまたは複数のさらなるデータフレームを送信することと、前記送信されたデータフレームに対する対応する確認応答を受信することと、を備える、請求項２４に記載の装置。
【手続補正２】
【補正対象書類名】明細書
【補正対象項目名】０１５６
【補正方法】変更
【補正の内容】
【０１５６】
[00168]上記は本開示の態様を対象とするが、本開示の他の態様およびさらなる態様は、それらの基本的範囲から逸脱することなく考案される場合があり、それらの範囲は以下の特許請求の範囲によって決定される。
以下に本願の出願当初の特許請求の範囲に記載された発明を付記する。
［Ｃ１］
ワイヤレス媒体上のワイヤレス通信の方法であって、
受信デバイスにより、競合期間中に送信デバイスから第１のワイヤレスフレームを受信することと、前記第１のワイヤレスフレームは、前記送信デバイスと前記受信デバイスとの間のワイヤレス通信交換の一部分を形成し、
前記競合期間中に、前記ワイヤレス媒体のためのネットワーク割振りベクトルが、前記ワイヤレス通信交換の残りの部分をパケット衝突から保護するために十分な継続時間の時間期間の間設定されるべきことを示す、第２のワイヤレスフレームを送信することと、
前記受信デバイスを介して、前記時間期間中に前記送信デバイスから前記ワイヤレス通信交換の前記残りの部分を受信することと、
を備える、方法。
［Ｃ２］
前記ワイヤレス通信交換は、モアデータインジケーションを有する１つまたは複数のワイヤレスフレームと、前記１つまたは複数のワイヤレスフレームに対する対応する確認応答とを含む、Ｃ１に記載の方法。
［Ｃ３］
前記第１のワイヤレスフレームがエラーを含むと決定することをさらに備え、前記第２のワイヤレスフレームを前記送信することは、前記決定することに応答する、Ｃ１に記載の方法。
［Ｃ４］
前記第１のワイヤレスフレームに応答して、前記受信デバイスが前記ワイヤレス通信交換の前記残りの部分のための前記ワイヤレス媒体を保護することを示す第３のワイヤレスフレームを、前記送信デバイスに送信することをさらに備える、Ｃ１に記載の方法。
［Ｃ５］
前記受信デバイスが前記ワイヤレス通信交換の前記残りの部分のための前記ワイヤレス媒体を保護することを前記送信デバイスが要求すると決定するために、前記第１のワイヤレスフレームを復号することと、
前記決定に応答して前記第２のワイヤレスフレームを送信することと、
をさらに備える、Ｃ１に記載の方法。
［Ｃ６］
前記受信デバイスが前記ワイヤレス媒体を保護するときの時間を示すように、前記第３のワイヤレスフレームを生成することをさらに備える、Ｃ４に記載の方法。
［Ｃ７］
前記送信デバイスのための１つまたは複数の送信パラメータを示すように、前記第３のワイヤレスフレームを生成することをさらに備える、Ｃ４に記載の方法。
［Ｃ８］
前記１つまたは複数の送信パラメータは、変調およびコーディング方式、送信帯域幅、またはチャネル情報、または前記ワイヤレス通信交換の前記残りの部分の前記送信用のチャネル割振りのうちの１つまたは複数を含む、Ｃ７に記載の方法。
［Ｃ９］
ワイヤレス媒体上のワイヤレス通信のための装置であって、
競合期間中に送信デバイスから第１のワイヤレスフレームを受信するように構成された受信機と、前記第１のワイヤレスフレームは、前記送信デバイスと前記装置との間のワイヤレス通信交換の少なくとも一部分を形成し、
前記競合期間中に、前記ワイヤレス媒体のためのネットワーク割振りベクトルが、前記ワイヤレス通信交換の残りの部分をパケット衝突から保護するために十分な継続時間の時間期間の間設定されることを示す、第２のワイヤレスフレームを送信するように構成された送信機と、
前記時間期間中に前記ワイヤレス通信交換を完了することと、
を備える、装置。
［Ｃ１０］
前記ワイヤレス通信交換は、モアデータインジケーションを有する１つまたは複数のワイヤレスフレームと、前記１つまたは複数のワイヤレスフレームに対する対応する確認応答とを含む、Ｃ９に記載の装置。
［Ｃ１１］
前記第１のワイヤレスフレームがエラーを含むと決定するように構成されたプロセッサをさらに備え、前記送信機は、前記決定することに応答して前記第２のワイヤレスフレームを送信するようにさらに構成される、Ｃ９に記載の装置。
［Ｃ１２］
前記第１のワイヤレスフレームに応答して、前記装置が前記第２のワイヤレスフレームを送信することを示す第３のワイヤレスフレームを、前記送信デバイスに送信することをさらに備える、Ｃ９に記載の装置。
［Ｃ１３］
前記ワイヤレス通信交換の前記残りの部分をパケット衝突から保護するために十分な前記継続時間の前記時間期間の間、前記装置が前記ネットワーク割振りベクトルを設定することを前記送信デバイスが要求すると決定するために、前記第１のワイヤレスフレームを復号するように構成されたプロセッサをさらに備える、Ｃ９に記載の装置。
［Ｃ１４］
前記送信デバイスのための１つまたは複数の送信パラメータを示すように、前記第３のワイヤレスフレームを生成するように構成されたプロセッサをさらに備え、前記１つまたは複数の送信パラメータは、変調およびコーディング方式、送信帯域幅、チャネル情報、およびチャネル割振りのうちの１つまたは複数を含む、Ｃ１２に記載の装置。
［Ｃ１５］
ブロック確認応答または否定確認応答のうちの１つとして前記第３のワイヤレスフレームを生成するように構成されたプロセッサをさらに備える、Ｃ１２に記載の装置。
［Ｃ１６］
前記装置が前記第２のワイヤレスフレームを送信するときの時間を示すように、前記第３のワイヤレスフレームを生成するように構成されたプロセッサをさらに備える、Ｃ１２に記載の装置。
［Ｃ１７］
１つまたは複数の送信パラメータを示すように、前記第３のワイヤレスフレームを生成するように構成されたプロセッサをさらに備える、Ｃ１２に記載の装置。
［Ｃ１８］
前記ネットワーク割振りベクトルが設定される継続時間を示すように、前記第３のワイヤレスフレームを生成するように構成されたプロセッサをさらに備える、Ｃ１２に記載の装置。
［Ｃ１９］
前記ワイヤレス通信交換を完了するために必要な時間を決定し、少なくとも前記必要な時間の間、前記ワイヤレス媒体を保護するために前記第２のワイヤレスフレームを生成するように構成されたプロセッサをさらに備える、Ｃ９に記載の装置。
［Ｃ２０］
前記送信機は、前記送信デバイスにクリア・ツー・センド（clear-to-send）フレームを送信することにより、前記ワイヤレス媒体を保護する前記第２のワイヤレスフレームを送信するようにさらに構成され、前記クリア・ツー・センドフレームは、前記残りの部分を送信するために必要な時間以上の継続時間を示す、Ｃ９に記載の装置。
［Ｃ２１］
ワイヤレス媒体上のワイヤレス通信の方法であって、
送信デバイスにより、競合期間中に受信デバイスへ第１のワイヤレスフレームを送信することと、前記第１のワイヤレスフレームは、前記送信デバイスと前記受信デバイスとの間のワイヤレス通信交換の一部分を備え、
前記受信デバイスから第２のワイヤレスフレームを受信することと、前記第２のワイヤレスフレームは、ネットワーク割振りベクトルが時間期間の間設定されるべきことを示し、
前記送信デバイスにより、前記時間期間中に前記受信デバイスとの前記ワイヤレス通信交換を完了することと、
を備える、方法。
［Ｃ２２］
前記受信デバイスへの前記ネットワーク割振りベクトルの設定の要求のインジケーションを備えるように、前記第１のワイヤレスフレームを生成することをさらに備える、Ｃ２１に記載の方法。
［Ｃ２３］
前記受信デバイスから、前記第２のワイヤレスフレームとは異なる第３のワイヤレスフレームを受信することと、前記第３のワイヤレスフレームは、前記ネットワーク割振りベクトルが設定されることを前記受信デバイスが要求することのインジケーションを備え、
前記第３のワイヤレスフレームに応答して、前記ネットワーク割振りベクトルが設定されるまで前記ワイヤレス通信交換のさらなる送信を延期することと、
をさらに備える、Ｃ２１に記載の方法。
［Ｃ２４］
前記第１のワイヤレスフレームに含まれる送信パラメータの確認、および前記受信デバイスへの送信のための１つまたは複数の送信パラメータのうちの１つまたは複数を決定するために、前記第３のワイヤレスフレームを復号すること、さらに備える、Ｃ２３に記載の方法。
［Ｃ２５］
モアデータインジケーションを有するデータフレームとして前記第１のワイヤレスフレームを生成することをさらに備え、
前記ワイヤレス通信交換の送信を完了することは、１つまたは複数のさらなるデータフレームを送信することと、前記１つまたは複数のさらなるデータフレームに対する対応する確認応答を受信することとを備える、
Ｃ２１に記載の方法。
［Ｃ２６］
ワイヤレス媒体上のワイヤレス通信のための装置であって、
競合期間中に受信デバイスへ第１のワイヤレスフレームを送信するように構成された送信機と、前記第１のワイヤレスフレームは、前記装置と前記装置との間のワイヤレス通信交換の一部分を備え、
ネットワーク割振りベクトルが時間期間の間設定されるべきことを示す第２のワイヤレスフレームを受信するように構成された受信機と、
前記時間期間中に前記受信デバイスとの前記ワイヤレス通信交換を完了することと、
を備える、装置。
［Ｃ２７］
前記受信デバイスへの前記ネットワーク割振りベクトルの設定の要求のインジケーションを備えるように、前記第１のワイヤレスフレームを生成するように構成されたプロセッサをさらに備える、Ｃ２６に記載の装置。
［Ｃ２８］
プロセッサをさらに備え、
前記受信機は、前記受信デバイスが前記ネットワーク割振りベクトルを設定することのインジケーションを備える第３のワイヤレスフレームを受信するようにさらに構成され、
前記プロセッサは、前記第３のワイヤレスフレームに応答して、前記ネットワーク割振りベクトルが設定されるまで前記ワイヤレス通信交換のさらなる送信を延期するように構成される、
Ｃ２６に記載の装置。
［Ｃ２９］
前記プロセッサは、前記第１のワイヤレスフレームに含まれる送信パラメータの確認、および前記受信デバイスへの送信のための１つまたは複数の送信パラメータのうちの１つまたは複数を決定するために、前記第３のワイヤレスフレームを復号するようにさらに構成される、Ｃ２８に記載の装置。
［Ｃ３０］
モアデータインジケーションを有するデータフレームとして前記第１のワイヤレスフレームを生成するように構成されたプロセッサをさらに備え、
前記ワイヤレス通信交換の送信を完了することは、１つまたは複数のさらなるデータフレームを送信することと、前記送信されたデータフレームに対する対応する確認応答を受信することと、を備える、Ｃ２６に記載の装置。